(57)【要約】  【課題】  従来の金属イオン水処理容器では、カセットタンクを容器から取り外して水道の蛇口に運び、該タンク内に流水を入れる作業が必要であり、不便であった。  【解決手段】  水を貯水する容器１と、該容器１の上部に設けられた蓋体２と、該蓋体２に設けられた一対の金属電極２９，３０を有する金属イオン水生成手段２５とを有し、前記金属イオン水生成手段２５により生成させた金属イオン水を前記容器１内の水に滴下することにより混合し、前記容器１内に置かれた物体５の抗菌を行う金属イオン水処理容器１００において、前記金属イオン水生成手段２５の動作時に該金属イオン水生成手段２５に注水するための水を貯留する水溜７を前記蓋体２に一体形成したことを特徴とする。【選択図】      図２
2006087804.tif 000002
【特許請求の範囲】
【請求項１】
水を貯水する容器と、該容器の上部に設けられた蓋体と、該蓋体に設けられた一対の金属電極を有する金属イオン水生成手段とを有し、前記金属イオン水生成手段により生成させた金属イオン水を前記容器内の水に滴下することにより混合し、前記容器内に置かれた物体の抗菌を行う金属イオン水処理容器において、前記金属イオン水生成手段の動作時に該金属イオン水生成手段に注水するための水を貯留する水溜を前記蓋体に一体形成したことを特徴とする金属イオン水処理容器。
【請求項２】
前記蓋体に設けられ前記水溜の上部開口を開閉するためのヒンジ式の開閉蓋と、該開閉蓋の裏面に凸設された２つの突起と、前記金属イオン水生成手段のＯＮ／ＯＦＦを行うスイッチと、前記水溜内の水を前記金属イオン水生成手段に注水する注水口を開閉する弁とを備え、前記開閉蓋を閉じることにより前記スイッチをＯＮするともに、前記弁を開くことを特徴とする請求項１に記載の金属イオン水処理容器。
【請求項３】
前記蓋体に設けられ電池を収容する電池室と、該電池室の上部開口に着脱可能に取付けられた電池カバーとを備え、前記開閉蓋を閉じることにより前記電池カバーが外部に露出しないようにしたことを特徴とする請求項２に記載の金属イオン水処理容器。
【請求項４】
前記開閉蓋の誤閉防止手段を設けたことを特徴とする請求項２又は３に記載の金属イオン水処理容器。
【請求項５】
前記水溜の側壁内面の勾配を小さくして上方から見やすくした水量表示部を設けたことを特徴とする請求項２〜４のいずれかに記載の金属イオン水処理容器。
【請求項６】
前記一対の金属電極が板状電極であり、該板状電極の下方を斜めにカットして水切れを良くしたことを特徴とする請求項１〜５のいずれかに記載の金属イオン水処理容器。
【発明の詳細な説明】
【技術分野】
【０００１】
本発明は、銀イオン等を含む金属イオン水で容器内の物体を抗菌処理する容器に関するものである。
【背景技術】
【０００２】
従来、衣類に抗菌性を持たせる付加機能を有した銀イオン水生成機能付き洗濯機が開示されている（例えば、特許文献１及び２参照）。この洗濯機は、銀イオン溶出ユニットで生成させた銀イオンを含んだ水道水（以下、「銀イオン水」という。）を、衣類洗濯中の洗濯槽内に注入し、衣類の洗濯とともに銀イオンの作用によって衣類を抗菌処理するものである。銀イオンの抗菌メカニズムは広く知られており、図１２に示す通りである。洗濯乾燥後、銀イオンが衣類にコーティングされているので、着用中の細菌の増殖を抑え、衣類が発する汗臭や足の臭いを抑制することができる。
【０００３】
このように銀イオン溶出ユニットを本体に内蔵したタイプの洗濯機は、洗濯機本来の洗濯機能と衣類の抗菌機能とが連動しているため、機能の面でも優れ、また本体サイズも従来の洗濯機とほとんど変わらないため、設置スペースの面でも優れたものではあるが、需用者にとっては洗濯機自体の買い換えを余儀なくされ、出費が大きいという問題があった。
【０００４】
ところで、乳幼児の衣類やペット用品等の洗浄用として、可搬式の洗濯装置が市販されているが、これに銀イオン水生成手段を設けて抗菌・防臭機能を付加することが検討されている。乳幼児はばい菌に対する免疫がなく、感染しやすいことから、家庭でも次亜塩素酸ナトリウム水溶液でほ乳瓶等の殺菌・消毒がなされている。しかし、消毒後にほ乳瓶等についた薬品を充分に洗い流し、乾燥させる必要があることから、非常に手間が掛かるだけでなく、乾燥後に空気中からばい菌が再度付着する虞もあった。
【０００５】
そこで、本発明者らは、乳幼児用のほ乳瓶等の殺菌・消毒に適した金属イオン水処理容器を創作し、出願を行っている（特願２００４−６２５４４号）。この従来の金属イオン水処理容器について図面を参照して説明する。図１３は、この従来の金属イオン水処理容器の縦断面図であって、乳幼児用の衣類のつけおき洗いやほ乳瓶等の食器類のつけおき保存に適した保存庫を示している。保存庫２００は、貯水容器２０１と、蓋体２０２とから構成されている。貯水容器２０１には、把手２０３が取付け部材２０４により回動可能に取付けられている。貯水容器２０１内には、所定水位まで水が貯水され、その水位以下（水中）に、ほ乳瓶等の物体２０５が収容される。
【０００６】
蓋体２０２には、上面中央部の略円形の凹所２０７に、水を入れたカセットタンク２０６が着脱自在に装着されている。凹所２０７の底壁２０７ａの下側には、電池２０８が収容される電池室２０９及び回路基板２１０等の電装品が収容される電装室２１１が形成されている。カセットタンク２０６には、上面中央部の円形の窪みに把手２１２がネジ２１３により取付けられ、底面の中央部の筒口２１４にキャップ２１５が螺号されている。キャップ２１５の中心には、上端部にゴム栓２１７を取付けた支持棒２１６が軸方向に挿通され、該支持棒２１６を圧縮されたスプリング２１８によって下方向に付勢し、ゴム栓２１７でキャップ２１５の注水口２１５ａを塞いで、カセットタンク２０６内の水を止水している。カセットタンク２０６を蓋体２０２に装着すると、凹所２０７の中心部に形成した溝落ち部２２４にキャップ２１５が収容され、溝落ち部２２４に突設した突起２１９によってスプリング２１８の付勢に抗して支持棒２１６が上方に保持されるので、注水口２１５ａが開いて水が流れ落ちる。
【０００７】
カセットタンク２０６の底面周縁部の１カ所には、突起２２０が設けられている。一方、蓋体２０２には、突起２２０に対応してマイクロスイッチ２２２の作動器としてのアクチュエータ２２１が設けられている。カセットタンク２０６を装着すると、突起２２０がアクチュエータ２２１を押し下げ、マイクロスイッチ２２２をＯＮし、回路基板２１０がＯＮ状態となり、ＬＥＤ２２３で状態を表示する。
【０００８】
銀イオン溶出ユニット２２５は、合成樹脂等の絶縁材料からなるケース２２６を有する。ケース２２６は、上端に水の流入口２２７、下端に水の流出口２２８を備える。溝落ち部２２４の下部外面には、ケース２２６の流入口２２７で銀イオン溶出ユニット２２５が着脱可能に取付けられ、蓋体２０２の底面部に底カバー２３３を取付けて貯水容器２０１からの跳ね返り水の浸入を防止している。ケース２２６の内部には、銀からなる２枚の板状電極２２９，２３０が互いに平行する形で、且つ所定間隔を置いて配置されている。
【０００９】
上記構成の保存庫２００の使用時には、貯水容器２０１内に一定量の水又は湯を貯水し、貯水容器２０１に蓋体２０２をセットした後、水を入れたカセットタンク２０６を蓋体２０２に装着する。そうすると、マイクロスイッチ２２２がＯＮするとともに、ゴム栓２１７が開き、カセットタンク２０６内の水が銀イオン溶出ユニット２２５のケース２２６内に流下して供給され、電極２２９，２３０に通電されて銀イオン水が生成され、滴下口２３５から貯水容器２０１内の水に滴下、混合する。
【特許文献１】特開２００４−２４５９７号公報
【特許文献２】特開２００１−２７６４８４号公報
【発明の開示】
【発明が解決しようとする課題】
【００１０】
しかしながら、上記従来の金属イオン水処理容器２００では、カセットタンク２０６を貯水容器２０１から取り外して水道の蛇口に運び、該タンク２０６内に流水を入れる作業が必要であり、ユーザの使い勝手が悪かった。また、カセットタンク方式であるがため、カセットタンク２０６の着脱構造が複雑であり、さらに金属イオン水の滴下の時期、通電動作のタイミング等の操作が複雑であり、操作性と製品コストの面で難があった。
【課題を解決するための手段】
【００１１】
上記目的を達成するために本発明の金属イオン水処理容器は、水を貯水する容器と、該容器の上部に設けられた蓋体と、該蓋体に設けられた一対の金属電極を有する金属イオン水生成手段とを有し、前記金属イオン水生成手段により生成させた金属イオン水を前記容器内の水に滴下することにより混合し、前記容器内に置かれた物体の抗菌を行う金属イオン水処理容器において、前記金属イオン水生成手段の動作時に該金属イオン水生成手段に注水する水を貯留する水溜を前記蓋体に一体形成したことを特徴とする。
【００１２】
この構成によると、蓋内に設けた水溜に直接注水でき、使い勝手が良くなる。
【００１３】
また本発明の金属イオン水処理容器は、前記蓋体に設けられ前記水溜の上部開口を開閉するためのヒンジ式の開閉蓋と、該開閉蓋の裏面に凸設された２つの突起と、前記金属イオン水生成手段のＯＮ／ＯＦＦを行うスイッチと、前記水溜内の水を前記金属イオン水生成手段に注水する注水口を開閉する弁とを備え、前記開閉蓋を閉じることにより前記スイッチをＯＮするともに、前記弁を開くことを特徴とする。
【００１４】
この構成によると、水溜内に所定量の水を入れ、開閉蓋を閉じるだけで、水溜内の水が金属イオン水生成手段に注水されて金属イオン水生成手段を動作して、金属イオン水が生成し容器内に滴下されるため、操作が簡便となり使い勝手が向上する。また、別途電源投入のための操作ボタン等が不要となり、蓋体の外観がすっきりとし、製品全体の見栄えも良くなる。
【００１５】
また本発明の金属イオン水処理容器は、前記蓋体に設けられ電池を収容する電池室と、該電池室の上部開口に着脱可能に取付けられた電池カバーとを備え、前記開閉蓋を閉じることにより前記電池カバーが外部に露出しないようにしたことを特徴とする。
【００１６】
この構成によると、開閉蓋を閉じた状態では、電池カバーが露出せず、蓋体の外観がすっきりとし、製品全体の見栄えが良くなる上に、電池の交換もしやすくなる。
【００１７】
また、前記開閉蓋の誤閉防止手段を設けると、容器の上に蓋体をセットしていない状態でうっかり開閉蓋を閉じてしまうことによる誤動作を防止でき、これにより床や机等に金属イオン水が滴下して濡らしてしまうような誤使用がなくなる。
【００１８】
そして、前記水溜の側壁内面の勾配を小さくして上方から見やすくした水量表示部を設けたことを特徴とする。
【００１９】
この構成によると、水溜の側壁内面に貼紙、ラベル、印刷等を施すことなく、水量表示部に文字及び水位線を金型加工にて見やすく、かつ、安価に形成することができる。
【００２０】
なお、電極は水の有する導電性で通電されるため、上記スイッチは省略することもできる。この場合、一対の金属電極を板状電極とし、該板状電極の下方を斜めにカットして水切れを良くすることで、電極へ通電のＯＮ／ＯＦＦ動作が確実になる。
【発明の効果】
【００２１】
本発明では、水を貯水する容器上部に着脱される蓋体に水溜を一体形成し、この水溜に注水する方式を採用したことにより、蓋体を容器から取り外して単独で水道の蛇口に運び、水溜に流水を入れることもできるし、或いは、蓋体を容器に取付けたまま別途汲んできた水を水溜に移すこともできる。このように、ユーザにとって使いやすい注水方法を自由に選択できることから使い勝手の良い金属イオン水処理容器を提供することができる。また、蓋体に水溜を一体形成したことにより、蓋体の構造が簡略化され部品点数を減らすことができ、廉価な製品を提供することができる。
【発明を実施するための最良の形態】
【００２２】
以下、本発明を実施するための最良の形態について図面を参照して説明する。
【００２３】
本発明の第１の実施形態について説明する。図１は、本発明の第１の実施形態に係る金属イオン水処理容器の側面図であって、乳幼児用の衣類のつけおき洗いやほ乳瓶等の食器類のつけおき保存に適した保存庫を示している。また、図２は、その保存庫の縦断面図であり、図３は、その保存庫の平面図である。
【００２４】
保存庫１００は、貯水容器１と、蓋体２とから構成されている。貯水容器１には、把手３が取付け部材４により回動可能に取付けられている。貯水容器１内には、所定水位まで水が貯水され、その水位以下（水中）に、ほ乳瓶等の物体５が収容される。なお、貯水容器１の側壁内面には、規定量の水が入れられるように、水量水位線４３が金型加工により形成されている。
【００２５】
蓋体２には、上面略中央部に水溜７が凹所として形成されている。水溜７には、図５に示すように、側壁の内面の勾配を小さくして上方から見やすくした水量表示部３８が金型加工により設けられ、この水量表示部３８には、水溜７内に規定量（例えば、５００ｃｃ）の水を入れられるように水量水位線３８ａが形成されている。
【００２６】
そして、水溜７ａに隣接して、電池８が収容される電池室９が形成されている。そして、電池室９に隣接して回路基板１０等の電装品が収容される電装室１１が形成されている。水溜７の底壁７ａには、筒状の排水口１４が設けられている。排水口１４には、下端部にゴム栓１７を取付けた支持棒１６が軸方向に挿通され、該支持棒１６を圧縮されたスプリング１８によって上方向に付勢し、ゴム栓１７で排水口１４下面に形成される注水口１５を塞いで、水溜７内の水を止水している。
【００２７】
電池室９の上部開口には、電池８を交換時に着脱される電池カバー２８がコインねじ１９（図４参照）によって取付けられている。電池カバー２８の取付け部は、シールゴム３４により気密にシールされており、天井には小さな通気口３７が設けられている。蓋体２上面にはヒンジ穴１２ａを有する一対の軸受け１２が設けられており、ヒンジ穴１２ａに開閉蓋６の基端縁に設けられた一対の軸部材１３のヒンジ軸１３ａが挿入されることにより、開閉蓋６が蓋体２に回動可能に取付けられる。
【００２８】
開閉蓋６の裏面の中心部及び基端縁近傍には、突起１９及び２０がそれぞれ突設されている。一方、蓋体２には、突起２０に対応してマイクロスイッチ２２の作動器としてのアクチュエータ２１が設けられている。開閉蓋６を閉じると、突起１９が支持棒１６を押し下げ、注水口１５が開いて水が流れ落ちる。同時に、突起２０がアクチュエータ２１を押し下げ、マイクロスイッチ２２をＯＮし、回路基板１０がＯＮ状態となり、ＬＥＤ２３で状態を表示する。なお、アクチュエータ２１の押し穴には、防水用のベローゴム２４が取り付けられている。
【００２９】
銀イオン溶出ユニット２５は、合成樹脂等の絶縁材料からなるケース２６を有する。ケース２６は円筒形であり、上端にカップ状の流入口２７、下端に流出口２８を備える。水溜７の底壁７ａの下面には、注水口１５を中心とする円形のリブ７ｂが立設されており、該リブ７ｂがケース２６の流入口２７に差し込まれて、流入口２７周囲に設けられたフランジ２７ａをリブ７ｂ周囲に設けられたボス７ｃにねじで固定することにより、銀イオン溶出ユニット２５が着脱可能に取付けられている。流出口２８には、滴下水量調整又は水の拡散及び逆流防止のためのノズル３５が着脱可能に取付けられている。ノズル３５は滴下口３６を有し、該滴下口３６は銀イオン溶出ユニット２５からの銀イオン水の滴下スピードを調整する径とし、定量的に滴下させるようにしている。
【００３０】
水溜７の上部開口の土手７ｆの周囲には、所定の間隔を隔ててリブ壁７ｄが周設されており、水溜７の土手７ｆとリブ壁７ｄの内面との間に、略長方形状に繋がった溝７ｅが形成されている。一方、開閉蓋６の裏面には、溝７ｄに対応してリブ６ａが一体的に凸設されている。従って、開閉蓋６を閉じると、リブ６ａが溝７ｅに嵌って水溜７内が水密にシールされ、転倒時等の漏水が防止される。
【００３１】
リブ壁７ｄの一部は上端が鉤型に加工されており、この部分で蓋体２に爪部２ａを形成している。この爪部２ａに対応して、開閉蓋６の回動端縁の中央には、周囲壁６ｂを鉤型に加工することにより、爪部６ｃが形成されている。従って、開閉蓋６を閉じると、開閉蓋６と蓋体２の爪部同士が係合し、開閉蓋６が蓋体２に対して確実にロックされる。
【００３２】
ケース２６の内部には、銀からなる２枚の板状電極２９，３０が互いに平行する形で、且つ所定間隔を置いて配置されている。なお、電極２９，３０の材料は銀に限らず、抗菌性を有する金属イオンのもとになる金属であれば、銅、亜鉛等でもよい。電極２９，３０は水切れを良くするため、下方が斜めにカットされている。
【００３３】
蓋体２の底面部に底カバー３３を取付けて貯水容器１からの跳ね返り水の浸入を防止している。底カバー３３には、蓋体２を取り外したとき、安定して床や机に置けるように、円筒形のリブ３３ａが底部に一体形成されている。
【００３４】
図６に、図２のｘ−ｘ線断面図に示すように、電極２９，３０には各々一端に端子３１，３２が設けられる。電極２９と端子３１、電極３０と端子３２をそれぞれ一体化できればよいが、一体化できない場合は、電極と端子の間の接合部及びケース２６内の端子部分を合成樹脂でコーティングして水との接触を断ち、電食が生じないようにしておく。端子３１，３２はケース２６の外に突出し、リード線（図示せず）を介して回路基板１０上の電流制御回路（図示せず）に接続される。電流制御回路は、電極２９，３０間を流れる水に所定の交番電流を調整可能な時間で流すものである。
【００３５】
上記構成の保存庫１００の使用時には、貯水容器１内に一定量の水又は湯を貯水し、貯水容器１に蓋体２をセットした後、水溜７内に所定量の水を注水し、開閉蓋６を閉じる。そうすると、マイクロスイッチ２２がＯＮするとともに、ゴム栓１７が開き、水溜７内の水が銀イオン溶出ユニット２５のケース２６内に流下して供給され、電極２９，３０に通電されて銀イオン水が生成され、滴下口３５から貯水容器１内の水に滴下、混合する。なお、電極２９，３０は水の有する導電性で通電されるため、マイクロスイッチ２２は省略することもできる。
【００３６】
本発明の第２の実施形態について説明する。図７は、本発明の第２の実施形態に係る保存庫の平面図である。また、図８及び図１０は、図７の要部拡大図であって、それぞれ開閉蓋を閉じる前と閉じるときの誤閉防止手段を開閉蓋の一部を切り欠いて示す平面図であり、図９及び図１１は、それぞれ図８及び図１０のｙ−ｙ階段線矢視断面図である。これらの図において、上記第１の実施形態に係る金属イオン水処理容器と同一の部分には同一符号を付し、その詳細な説明を省略する。
【００３７】
開閉蓋６の裏面には、該開閉蓋６の回動端縁近傍に、支点ボス３９が凸設されている。この支点ボス３９には、レバー４０が回動可能に取付けられている。レバー４０は、支点ボス３９と嵌合される円筒部４０ａと、円筒部４０ａ周面から直径方向に延びて凸設された棒部４０ｂと、同じく円筒部４０ａ周面に凸設されたアーム４１とを備える。アーム先端部４１ｂは棒部４０ｂの長手方向に平行に延びており、その下面はアーム基端部４１ａよりも一段低くなるように、下方に延設されている（図９参照）。レバー４０の円筒部４０ａは、ヒンジスプリング４２の輪に巻回されたヒンジ部分に挿入されている。ヒンジスプリング４２の一端は、レバー４０の棒部４０ｂに巻着されている。ヒンジスプリング４２の他端は、レバー４０の取付け時に、周囲壁６ｂ内面に設けられたポケット６ｄ内に嵌着される。レバー４０は、その円筒部４０ａに支点ボス３９を嵌挿した後、平ワッシャ４３とねじ４４により回動可能に取付けられる。開閉蓋６のリブ６ａと、水溜７のリブ壁７ｄは、棒部４０ｂが回動できるように、一定の範囲Ｌ１の部分が切り欠かれている。同様に、開閉蓋６の周囲壁６ｂも、一定の範囲Ｌ２（＜Ｌ１）の部分が切り欠かれている。周囲壁６ｂの切り欠き端部は、棒部４０ｂに当接して回動を阻止するストッパーの役目を果たしている。換言すれば、周囲壁６ｂが切り欠かれた範囲Ｌ２は、レバー４０の回動範囲を規定している。
【００３８】
ヒンジスプリング４２は、レバー４０を常時反時計方向に付勢している。このため、開閉蓋６が開いているときは、図８のように、レバー４０の棒部４０ｂは、開閉蓋６の周囲壁６ｂの切り欠き端部に当接して３時の位置に静止している。この状態で開閉蓋６を閉じようとしても、図９のように、アーム先端部４１ｂが開閉蓋６と水溜７の土手７ｆとの間に挟まるように位置し、アーム先端部４１ｂが土手７ｆに当たるので、開閉蓋６は完全に閉まらない。開閉蓋６を閉じるときは、図８の矢印のように、棒部４０ｂをヒンジスプリング４２の付勢に抗して時計方向に押し回し、アーム先端部４１ｂを土手７ｆから避けるように水溜７の方へ移動する。このようにすると、図１０及び図１１に示すように、アーム先端部４１ｂが土手７ｆに当たることがないため、開閉蓋６を完全に閉めることができる。このような構成により、うっかり開閉蓋６を閉じてしまうこと（誤閉）による誤動作を防止でき、これにより床や机等に金属イオン水が滴下して濡らしてしまうような誤使用がなくなる。
【産業上の利用可能性】
【００３９】
本発明の金属イオン水処理容器は、乳幼児用の衣類のつけおき洗いやほ乳瓶等の食器類のつけおき保存に適しており、殺菌効果の持続性と収納性を両立した保存庫に利用することができる。あるいは、前記容器内の水を撹拌する撹拌手段を備えた洗濯装置にも応用することができる。これにより衣類やペット用品に金属イオンをコーティングし、着用中の細菌の増殖を抑え、汗臭や生乾きの臭いを抑制することができる。
【図面の簡単な説明】
【００４０】
【図１】は、本発明の第１の実施形態に係る金属イオン水処理容器の側面図である。
【図２】は、その金属イオン水処理容器の縦断面図である。
【図３】は、その金属イオン水処理容器の平面図である。
【図４】は、その金属イオン水処理容器の平面図であり、開閉蓋を開いた状態を示している。
【図５】は、上記金属イオン水処理容器の蓋体に設けられた水溜の部分斜視図である。
【図６】は、図２のｘ−ｘ線断面図である。
【図７】は、本発明の第２の実施形態に係る金属イオン水処理容器の平面図である。
【図８】は、図７の要部拡大図であって、開閉蓋を閉じる前の誤閉防止手段を開閉蓋の一部を切り欠いて示す平面図である。
【図９】は、図８のｙ−ｙ階段線矢視断面図である。
【図１０】は、図７の要部拡大図であって、開閉蓋を閉じるときの誤閉防止手段を開閉蓋の一部を切り欠いて示す平面図である。
【図１１】は、図１０のｙ−ｙ階段線矢視断面図である。
【図１２】は、銀イオンの抗菌メカニズムを示す模式図である。
【図１３】は、従来の金属イオン水処理容器の縦断面図である。
【符号の説明】
【００４１】
１００       保存庫
１    貯水容器
２    蓋体
３    把手
５    物体
６    開閉蓋
８    電池
９    電池室
１０  回路基板
１１  電装室
１６  支持棒
１７  ゴム栓
１８  スプリング
１９，２０   突起
２１  アクチュエータ
２２  マイクロスイッチ
２５  銀イオン溶出ユニット
２６  ケース
２９，３０   電極
３５  ノズル
３８  水量表示部
４０  レバー
４１  アーム
４２  ヒンジスプリング
【図１】
2006087804.tif 000003
【図２】
2006087804.tif 000004
【図３】
2006087804.tif 000005
【図４】
2006087804.tif 000006
【図５】
2006087804.tif 000007
【図６】
2006087804.tif 000008
【図７】
2006087804.tif 000009
【図８】
2006087804.tif 000010
【図９】
2006087804.tif 000011
【図１０】
2006087804.tif 000012
【図１１】
2006087804.tif 000013
【図１２】
2006087804.tif 000014
【図１３】
2006087804.tif 000015